(57)【特許請求の範囲】
【請求項１】
チェーン循環装置（１１０）のチェーンに複数のブレード（１２０）が所定間隔で装着され、チェーン（１１１）が直線に移動する第１直線区間（Ｓ１）及び第２直線区間（Ｓ２）がチェーン循環装置（１１０）に形成されて、チェーン循環装置（１１０）に装着されたブレード（１２０）が水に浸ると、水が第１直線区間（Ｓ１）のブレード（１２０ａ）を通過した後、第２直線区間（Ｓ２）のブレード（１２０ｂ）を通過し、ブレード（１２０）がチェーン（１１１）に備えられたストッパー（１３０）に係止されて、第１直線区間（Ｓ１）のブレード（１２０ａ）及び第２直線区間（Ｓ２）のブレード（１２０ｂ）がチェーン（１１１）に対して斜線に配置された状態を保持し、チェーン循環装置（１１０）のチェーン（１１１）がスプロケット（１１５、１１６）を通過する第１曲線区間（Ｃ１）及び第２曲線区間（Ｃ２）に第１方向調整装置（１４０）及び第２方向調整装置（１５０）が配置され、第１方向調整装置（１４０）及び第２方向調整装置（１５０）によって第１直線区間（Ｓ１）のブレード（１２０ａ）と第２直線区間（Ｓ２）のブレード（１２０ｂ）との斜線方向が互いに反対に配置され、水の流速エネルギーが第１直線区間（Ｓ１）のブレード（１２０ａ）及び第２直線区間（Ｓ２）のブレード（１２０ｂ）によってチェーン（１１１）の循環動力に変形され、チェーン（１１１）によってスプロケット（１１５、１１６）が駆動されて、スプロケット（１１５、１１６）が回転軸（１１７、１１８）を駆動することによって、回転軸（１１７、１１８）に回転動力が生成され、
前記ブレード（１２０）は上端及び下端がチェーン（１１１）のアタッチメント（１１２）にピン（１１３）によって回転可能に装着され、何れか一側面がアタッチメント（１１２）の一端で下部に屈折されたストッパー（１３０）に係止されて、チェーン（１１１）（または水の流れ方向）に対して斜線に配置された状態を保持し、上端に装着されたレバー（１２１）によって配置状態に変更されることを特徴とする流水を利用した動力発生装置。
【請求項２】
前記チェーン循環装置（１１０）は六面体骨格構造を有するフレーム（１６０）に設置され、２つの回転軸（１１７、１１８）が互いに対向するように立てられ、スプロケット（１１５、１１６）が回転軸（１１７、１１８）の上端部にそれぞれ装着され、チェーン（１１１）がスプロケット（１１５、１１６）を循環し、回転軸（１１７、１１８）の下端部にも上端部にスプロケットとチェーンが装着されるのと同じくスプロケットとチェーンが装着されることを特徴とする請求項１に記載の流水を利用した動力発生装置。
【請求項３】
前記レバー（１２１）は下部垂直部（１２２）がブレード（１２０）の上端に嵌められて固定され、下部垂直部（１２２）の上端で水平部（１２３）が屈折されて延長され、水平部（１２３）で上部垂直部（１２４）が上方へ屈折されて延長されることを特徴とする請求項１に記載の流水を利用した動力発生装置。
【請求項４】
前記第１方向調整装置（１４０）はフレーム（１６０）に装着されて、チェーン循環装置（１１０）の第１曲線区間（Ｃ１）に配置され、ブレード（１２０）が第１曲線区間（Ｃ１）を移動する間レバー（１２１）の回転を案内するガイド溝部（１４１）が形成されることを特徴とする請求項１に記載の流水を利用した動力発生装置。
【請求項５】
前記第２方向調整装置（１５０）はフレーム（１６０）に装着されて、チェーン循環装置（１１０）の第２曲線区間（Ｃ２）に配置され、ブレード（１２０）が第２曲線区間（Ｃ１）を移動する間レバー（１２１）の回転を案内するガイド湾曲部（１５１）が形成されることを特徴とする請求項１に記載の流水を利用した動力発生装置。
【請求項６】
フレーム（２６０）にチェーン循環装置（２１０）が装着され、ブレード（２２０）の上端一側部及び下端一側部がチェーン（２１１）のアタッチメント（２１２）にピン（２１３）によって回転可能に装着されて、複数のブレード（２２０）が所定間隔でチェーン循環装置（２１０）のチェーン（２１１）に装着され、チェーン（２１１）が直線に移動する第１直線区間（Ｄ１）及び第２直線区間（Ｄ２）がチェーン循環装置（２１０）に形成されて、チェーン循環装置（２１０）に装着されたブレード（２２０）が水に浸ると、水が第１直線区間（Ｄ１）のブレード（２２０）を通過した後、第２直線区間（Ｄ２）のブレード（２２０）を通過し、フレーム（２６０）に水平案内ロッド（２３０、２４０）が装着されて、ブレード（２２０）が第１直線区間（Ｄ１）を通過する時、ブレード（２２０）の側端が水平案内ロッド（２３０）に係止されて斜線に傾斜された状態で移動され、ブレード（２２０）が第２直線区間（Ｄ２）を通過する時、ブレード（２２０）の側端が水平案内ロッド（２４０）に係止されて逆斜線に傾斜された状態で移動されることによって、水の流速エネルギーが第１直線区間（Ｄ１）のブレード（２２０）及び第２直線区間（Ｄ２）のブレード（２２０）によってチェーン（２１１）の移動エネルギーに変形され、チェーン（２１１）によってスプロケット（２１５、２１６）が駆動されて、スプロケット（２１５、２１６）が回転軸（２１７、２１８）を駆動することによって、回転軸（２１７、２１８）に回転動力が生成されることを特徴とする流水を利用した動力発生装置。
【請求項７】
前記チェーン循環装置（２１０）は六面体骨格構造を有するフレーム（２６０）に設置され、２つの回転軸（２１７、２１８）が互いに対向するように立てられ、スプロケット（２１５、２１６）が回転軸（２１７、２１８）の上端部及び下端部にそれぞれ装着され、２つのチェーン（２１１）がそれぞれ上部に配置されたスプロケットと下部に配置されたスプロケットを循環させることを特徴とする請求項６に記載の流水を利用した動力発生装置。
【請求項８】
前記水平案内ロッド（２３０、２４０）とチェーン（２１１）との間の間隔によってブレード（２２０）が斜線に傾斜される傾斜角度が変更されることを特徴とする請求項６に記載の流水を利用した動力発生装置。
【発明の詳細な説明】
【技術分野】
【０００１】
本発明は発電のために水の流速エネルギーを回転軸の回転動力に変換する流水を利用した動力発生装置に関するもので、より詳しくは、チェーン循環装置の直線区間でブレードが斜線及び逆斜線方向に配置されて、水の流速エネルギーがブレードによってチェーン循環動力に変換され、チェーンの軌道循環運動によってスプロケットが駆動され、スプロケットによって回転軸で回転動力が得られる流水を利用した動力発生装置を提供するものである。
【背景技術】
【０００２】
大韓民国特許公開第１０−２００９−５２３０９号（２００９年５月２５日、公開）に「水上及び水中の流速倍力を利用した流速発電装置」が提案されている。
【０００３】
上記水上及び水中の流速倍力を利用した流速発電装置は、浮力体の両方末端に側面に所定距離を離間して対向した一対のローラーが配置され、ローラーの前後断面部の辺縁にスプロケット形式のギアがそれぞれ設置され、２つのギアに一対のキャタピラーベルトが連結され、一対のキャタピラーベルトの間に複数の流速フレームが配置されるように、流速フレームの上端及び下端が一対のキャタピラーベルトに装着され、流速フレームに流速板及び均衡ベルトが設置されて、流速板が倍力を受けると広がり、反対側で流速板がヒンジによって折り畳まれる。
【０００４】
しかしながら、上記水上及び水中の流速倍力を利用した流速発電装置は、流速フレームが水の流れと同じ方向に動く側のみで水の倍力を受けて、流速エネルギーをシャフトを回転させる回転動力に変換させることができ、流速フレームが水の流れと反対方向に動く箇所は抵抗として作用するだけで、シャフトの回転動力を高めるのに何らの影響を与えない。
【発明の概要】
【発明が解決しようとする課題】
【０００５】
本発明の目的はチェーン循環装置の直線区間でブレードが斜線及び逆斜線方向に配置されて、水の流速エネルギーがブレードによってチェーン循環動力に変換され、チェーンの軌道循環運動によってスプロケットが駆動され、スプロケットによって回転軸で回転動力が得られるようにすることによって、流速エネルギーを回転動力に変換する高効率の流水を利用した動力発生装置を提供することにある。
【課題を解決するための手段】
【０００６】
上記のような目的を達するために、本発明による流水を利用した動力発生装置は、チェーン循環装置のチェーンに複数のブレードが所定間隔で装着され、チェーンが直線に移動する第１直線区間及び第２直線区間がチェーン循環装置に形成されて、チェーン循環装置に装着されたブレードが水に浸ると、水が第１直線区間のブレードを通過した後、第２直線区間のブレードを通過し、ブレードがチェーンに備えられたストッパーに係止されて、第１直線区間のブレード及び第２直線区間のブレードがチェーンに対して斜線に配置された状態を保持し、チェーン循環装置のチェーンがスプロケットを通過する第１曲線区間及び第２曲線区間に第１方向調整装置及び第２方向調整装置が配置され、第１方向調整装置及び第２方向調整装置によって第１直線区間のブレードと第２直線区間のブレードとの斜線方向が互いに反対に配置され、水の流速エネルギーが第１直線区間のブレード及び第２直線区間のブレードによってチェーンの循環動力に変形され、チェーンによってスプロケットが駆動されて、スプロケットが回転軸を駆動することによって、回転軸に回転動力が生成されることを特徴とする。
【０００７】
上記チェーン循環装置は六面体骨格構造を有するフレームに設置され、２つの回転軸が互いに対向するように立てられ、２つのスプロケットが二つの回転軸の上端部にそれぞれ装着され、チェーンが２つのスプロケットの間を循環し、回転軸の下端部にも上端部にスプロケットとチェーンが装着されたのと同じくスプロケットとチェーンが装着されることを特徴とする。
【０００８】
上記ブレードは上端及び下端がチェーンのアタッチメントにピンによって回転可能に装着され、何れの一側面がアタッチメントの一端で下部に屈折されたストッパーに係止されて、チェーン（または水の流れ方向）に対して斜線に配置された状態を保持し、上端に装着されたレバーによって配置状態に変更されることを特徴とする。
【０００９】
上記レバーは下部垂直部がブレードの上端に嵌められて固定され、下部垂直部の上端で水平部が屈折されて延長され、水平部で上部垂直部が上方へ屈折されて延長されることを特徴とする。
【００１０】
上記第１方向調整装置はフレームに装着されて、チェーン循環装置の第１曲線区間に配置され、ブレードが第１曲線区間を移動する間レバーの回転を案内するガイド溝部が形成されることを特徴とする。
【００１１】
上記第２方向調整装置はフレームに装着されて、チェーン循環装置の第２曲線区間に配置され、ブレードが第２曲線区間を移動する間レバーの回転を案内するガイド湾曲部が形成されることを特徴とする。
【００１２】
本発明による流水を利用した動力発生装置のその他の例は、フレームにチェーン循環装置が装着され、ブレードの上端一側部及び下端一側部がチェーンのアタッチメントにピンによって回転可能に装着されて、複数のブレードが所定間隔でチェーン循環装置のチェーンに装着され、チェーンが直線に移動する第１直線区間及び第２直線区間がチェーン循環装置に形成されて、チェーン循環装置に装着されたブレードが水に浸ると、水が第１直線区間のブレードを通過した後、第２直線区間のブレードを通過し、フレームに２つの水平案内ロッドがそれぞれ装着されて、ブレードが第１直線区間を通過する時、ブレードの側端が水平案内ロッドに係止されて斜線に傾斜された状態で移動され、ブレードが第２直線区間を通過する時、ブレードの側端が水平案内ロッドに係止されて逆斜線に傾斜された状態で移動されることによって、水の流速エネルギーが第１直線区間のブレード及び第２直線区間のブレードによってチェーンの移動エネルギーに変形され、チェーンによってスプロケットが駆動されて、スプロケットが回転軸を駆動することによって、回転軸に回転動力が生成されることを特徴とする。
【００１３】
上記チェーン循環装置は六面体骨格構造を有するフレームに設置され、２つの回転軸が互いに対向するように立てられ、スプロケットが回転軸の上端部及び下端部にそれぞれ装着され、２つのチェーンがそれぞれ上部に配置されたスプロケットと下部に配置されたスプロケットを循環させることを特徴とする。
【００１４】
上記水平案内ロッドとチェーンとの間の間隔によってブレードが斜線に傾斜される傾斜角度が変更されることを特徴とする。
【発明の効果】
【００１５】
従って、本発明による流水を利用した動力発生装置は、流速エネルギーを回転動力に変換する際に、既存の水車に存在する無用運動区間を最小化して、流速エネルギーを回転動力に変換する効率が非常に高く、構造が簡単で、且つ製造費用が低廉であるという効果を奏する。
【図面の簡単な説明】
【００１６】
【図１】本発明の第１実施例による流水を利用した動力発生装置を示した斜視図である。
【図２】図１の流水を利用した動力発生装置を示した平面図である。
【図３】第１直線区間に配置された何れか一つのブレードに作用する水の外的ベクトルを示した概略図である。
【図４】チェーンに何れか一つのブレードが装着される例を概略的に示した斜視図である。
【図５】第１方向調整装置を示した平面図である。
【図６】第２方向調整装置を示した平面図である。
【図７】本発明の第２実施例による流水を利用した動力発生装置を示した斜視図である。
【図８】図７の流水を利用した動力発生装置を示した平面図である。
【図９】図８の何れか一つのブレードがチェーンに装着された状態を示した拡大詳細図である。
【発明を実施するための形態】
【００１７】
以下、本発明の好ましい実施例を図面を参照して詳しく説明する。
【００１８】
図１及び図２によれば、本発明の第１実施例による流水を利用した動力発生装置は、チェーン循環装置１１０のチェーンに複数のブレード１２０が所定間隔で装着され、チェーン１１１が直線に移動する第１直線区間Ｓ１及び第２直線区間Ｓ２がチェーン循環装置１１０に形成されて、チェーン循環装置１１０に装着されたブレード１２０が水に浸ると、水が第１直線区間Ｓ１のブレード１２０ａを通過した後、第２直線区間Ｓ２のブレード１２０ｂを通過し、ブレード１２０がチェーン１１１に備えられたストッパー１３０に係止されて、第１直線区間Ｓ１のブレード１２０ａ及び第２直線区間Ｓ２のブレード１２０ｂがチェーン１１１に対して斜線に配置された状態を保持し、チェーン循環装置１１０のチェーン１１１がスプロケット１１５、１１６を通過する第１曲線区間Ｃ１及び第２曲線区間Ｃ２に第１方向調整装置１４０及び第２方向調整装置１５０が配置され、第１方向調整装置１４０及び第２方向調整装置１５０によって第１直線区間Ｓ１のブレード１２０ａと第２直線区間Ｓ２のブレード１２０ｂとの斜線方向が互いに反対に配置され、水の流速エネルギーが第１直線区間Ｓ１のブレード１２０ａ及び第２直線区間Ｓ２のブレード１２０ｂによってチェーン１１１の循環動力に変形され、チェーン１１１によってスプロケット１１５、１１６が駆動されて、スプロケット１１５、１１６が回転軸１１７、１１８を駆動することによって、回転軸１１７、１１８に回転動力が生成される。
【００１９】
図２及び図３によれば、上記のように構成された本発明の第１実施例による流水を利用した動力発生装置は次のように作用する。
【００２０】
図２に示すように、水が前から後に、即ち矢印１９１の方向に流れる時、水が斜線に配置されたブレードにぶつかって、図３に示すように、ブレード１２０に水平分力Ｆａが作用し、ブレード１２０が水平分力Ｆａの方向に移動することによって、第１直線区間Ｓ１でチェーン１１１がブレード１２０によって左側から右側に移動される。この時、第１直線区間にｎ個のブレードが設置されてｎ個の水平分力が合わせられることによって、高出力を得ることができる。
【００２１】
また、第２直線区間Ｓ２でも流速エネルギーがブレードに作用して、第２直線区間Ｓ２のチェーン１１１がブレード１２０によって右側から左側に移動される。
【００２２】
従って、チェーンの循環運動エネルギーは、第１直線区間でそれぞれのブレードに作用する水平分力の和と第２直線区間でそれぞれのブレードに作用する水平分力の和とを合わせたのと同じになるので、流速エネルギーを回転軸の回転エネルギーに変換する効率が非常に高く、回転軸の回転動力を利用して発電機を駆動することによって、電気エネルギーを出力することができる。
【００２３】
図１によれば、上記チェーン循環装置１１０は六面体骨格構造を有するフレーム１６０に設置され、２つの回転軸１１７、１１８が互いに対向するように立てられ、スプロケット１１５、１１６が回転軸１１７、１１８の上端部にそれぞれ装着され、チェーン１１１がスプロケット１１５、１１６を循環し、回転軸１１７、１１８の下端部にも上端部にスプロケットとチェーンが装着されるのと同じくスプロケットとチェーンが装着される。
【００２４】
これによって、チェーン１１１の循環運動によってスプロケット１１５、１１６が駆動され、スプロケット１１５、１１６によって２つの回転軸１１７、１１８が回転することによって、２つの回転軸１１７、１１８の中の何れか一つまたは両方から回転動力が得られる。
【００２５】
図３及び図４によれば、上記ブレード１２０は上端及び下端がチェーン１１１のアタッチメント１１２にピン１１３によって回転可能に装着され、何れか一側面がアタッチメント１１２の一端で下部に屈折されたストッパー１３０に係止されて、チェーン１１１（または水の流れ方向）に対して斜線に配置された状態を保持し、上端に装着されたレバー１２１によって配置状態に変更される。
【００２６】
図４によれば、上記レバー１２１は下部垂直部１２２がブレード１２０の上端に嵌められて固定され、下部垂直部１２２の上端で水平部１２３が屈折されて延長され、水平部１２３で上部垂直部１２４が上方へ屈折されて延長される。
【００２７】
また、上記レバー１２１は下部垂直部１２２がアタッチメント１１２を通じてブレード１２０の中心からいずれか一側部に偏心されるように上端に固定されて、下部垂直部１２２の回転がアタッチメント１１２によって干渉されない。
【００２８】
上記ストッパー１３０の幅Ｗによって斜線に配置されるブレード１２０の傾斜度が決まる。従って、水の流速及び流量などを考慮してストッパー１３０の幅Ｗを決める。
【００２９】
上記アタッチメント１１２は、図４に示すように、チェーン１１１のリンクプレート１１１ａにリベット（図示しない）によって固定されるか、製作する時、チェーン１１１のリンクプレート１１１ａと一体に形成されることができる。
【００３０】
図５によれば、上記第１方向調整装置１４０はフレーム１６０に装着されて、チェーン循環装置１１０の第１曲線区間Ｃ１に配置され、ブレード１２０が第１曲線区間Ｃ１を移動する間レバー１２１の回転を案内するガイド溝部１４１が形成される。
【００３１】
これによって、第１直線区間Ｓ１を通過したブレード１２０が第１曲線区間Ｃ１の開始点Ａに到達されると、レバー１２１がガイド溝部１４１に密着され、その後、ブレード１２０がチェーン１１１によって第１曲線区間Ｃ１を通過する間、レバー１２１がガイド溝部１４１に沿って移動されることによって、ブレード１２０が第１曲線区間Ｃ１を通過して第２直線区間Ｓ２に出る時、第１直線区間Ｓ１の斜線方向と反対される逆斜線方向に配置される。
【００３２】
図６によれば、上記第２方向調整装置１５０はフレーム１６０に装着されて、チェーン循環装置１１０の第２曲線区間Ｃ２に配置され、ブレード１２０が第２曲線区間Ｃ１を移動する間レバー１２１の回転を案内するガイド湾曲部１５１が形成される。
【００３３】
これによって、第２直線区間Ｓ２を通過したブレード１２０が第２曲線区間Ｃ２の開始点Ｃに到達されると、レバー１２１がガイド湾曲部１５１に密着され、その後、ブレード１２０がチェーン１１１によって第２曲線区間Ｃ２を通過する間、レバー１２１がガイド湾曲部１５１に沿って移動されることによって、ブレード１２０が第２曲線区間Ｃ２を通過して第１直線区間Ｓ２に出る時、第２直線区間Ｓ１の逆斜線方向と反対される斜線方向に配置される。
【００３４】
上記のように構成された本発明の第１実施例による流水を利用した動力発生装置は次のように作動する。
【００３５】
水が第１直線区間Ｓ１のブレード１２０ａを通過する過程で、水の流速エネルギーがブレード１２０を左側から右側に押して、第１直線区間Ｓ１でチェーン１１１がブレード１２０によって左側から右側に移動され、第２直線区間Ｓ２のブレード１２０も水によって右側から左側に移動されて、第２直線区間Ｓ２のチェーン１１１が右側から左側に移動される。これによって、チェーン１１１が軌道循環運動をすることになり、チェーン１１１と結合されるスプロケット１１５、１１６が回転され、スプロケット１１５、１１６の回転によって回転軸１１７、１１８に回転エネルギーが生成される。
【００３６】
この時、第１直線区間Ｓ１のブレード１２０ａが斜線に配置されているが、第１曲線区間Ｃ１を通過する過程で第１方向調整装置１４０によって第２直線区間Ｓ２に到達されると、上記ブレードが逆斜線方向に配置され、再び第２直線区間Ｓ２のブレード１２０ｂが第２方向調整装置１５０を通過する過程で斜線方向に方向が転換されて第１直線区間Ｓ１で再び斜線に配置されることによって、第１直線区間Ｓ１及び第２直線区間Ｓ２でブレード１２０が斜線（及び逆斜線）方向に配置される。
【００３７】
図７〜図９によれば、本発明の第２実施例による流水を利用した動力発生装置は、フレーム２６０にチェーン循環装置２１０が装着され、ブレード２２０の上端一側部及び下端一側部がチェーン２１１のアタッチメント２１２にピン２１３によって回転可能に装着されて、複数のブレード２２０が所定間隔でチェーン循環装置２１０のチェーン２１１に装着され、チェーン２１１が直線に移動する第１直線区間Ｄ１及び第２直線区間Ｄ２がチェーン循環装置２１０に形成されて、チェーン循環装置２１０に装着されたブレード２２０が水に浸ると、水が第１直線区間Ｄ１のブレード２２０を通過した後第２直線区間Ｄ２のブレード２２０を通過し、フレーム２６０に水平案内ロッド２３０、２４０が装着されて、ブレード２２０が第１直線区間Ｄ１を通過する時、ブレード２２０の側端が水平案内ロッド２３０に係止されて斜線に傾斜された状態で移動され、ブレード２２０が第２直線区間Ｄ２を通過する時、ブレード２２０の側端が水平案内ロッド２４０に係止されて逆斜線に傾斜された状態で移動される。これによって、水の流速エネルギーが第１直線区間Ｄ１のブレード２２０及び第２直線区間Ｄ２のブレード２２０によってチェーン２１１の移動エネルギーに変形され、チェーン２１１によってスプロケット２１５、２１６が駆動されて、スプロケット２１５、２１６が回転軸２１７、２１８を駆動することによって、回転軸２１７、２１８に回転動力が生成される。
【００３８】
上記のように構成された本発明の第２実施例による流水を利用した動力発生装置は、水が前から後、即ち図８の矢印２９１の方向へ流れる時、水が斜線に配置されたブレードにぶつかって、図３に示すように、ブレード２２０に水平分力Ｆａが作用して、ブレード２２０が水平分力Ｆａの方向に移動することによって、第１直線区間Ｄ１でチェーン２１１がブレード２２０によって左側から右側に移動される。この時、第１直線区間にｎ個のブレードが設置されて、ｎ個の水平分力が合わせられることによって、高出力が得られる。
【００３９】
また、第２直線区間Ｄ２でも流速エネルギーが上述したようにブレードに作用して、第２直線区間Ｄ２のチェーン２１１がブレード２２０によって右側から左側に移動される。
【００４０】
従って、チェーンの循環動力は第１直線区間Ｄ１でそれぞれのブレード２２０に作用する水平分力の和と第２直線区間Ｄ２でそれぞれのブレードに作用する水平分力の和を合わせたのと同じくなるので、流速エネルギーを回転軸の回転エネルギーに変換する効率が非常に高く、回転軸の回転動力を利用して発電機を駆動することによって、電気エネルギーを得ることができる。
【００４１】
上記チェーン循環装置２１０は六面体骨格構造を有するフレーム２６０に設置され、２つの回転軸２１７、２１８が互いに対向するように立てられ、スプロケット２１５、２１６が回転軸２１７、２１８の上端部及び下端部にそれぞれ装着され、２つのチェーン２１１がそれぞれ上部に配置されたスプロケットと下部に配置されたスプロケットを循環させる。
【００４２】
これによって、チェーン２１１の循環運動によってスプロケット２１５、２１６が駆動され、スプロケット２１５、２１６によって２つの回転軸２１７、２１８が回転することによって、２つの回転軸２１７、２１８の中の何れか一つまたは両方から回転動力得られる。
【００４３】
上記水平案内ロッド２３０、２４０とチェーン２１１との間の間隔によってブレード２２０が斜線に傾斜される傾斜角度が変更される。
【００４４】
上記のように構成された本発明の第２実施例による流水を利用した動力発生装置は次のように作動する。
【００４５】
水が第１直線区間Ｄ１のブレード２２０を通過する過程で、水の流速エネルギーがブレード２２０を左側から右側に押して、第１直線区間Ｄ１でチェーン２１１がブレード２２０によって左側から右側に移動され、第２直線区間Ｄ２のブレード２２０も水によって右側から左側に移動されて、第２直線区間Ｄ２のチェーン２１１が右側から左側に移動される。これによって、チェーン２１１が軌道循環運動をすることになって、チェーン２２１１と結合されるスプロケット２１５、２１６が回転され、スプロケット２１５、２１６の回転によって回転軸２１７、２１８に回転エネルギーが生成される。
【００４６】
この時、第１直線区間Ｄ１でブレード２２０が水平案内ロッド２３０によって斜線に配置されているが、チェーン２１１がスプロケット２１５を通過する時、ブレード２２０を拘束する要素がなく自由に回転することができるので、ブレード２２０が水の流れ方向に立てられる。その後、第２直線区間Ｄ２でブレード２２０が水平案内ロッド２４０によって逆斜線に配置され、チェーン２１１がスプロケット２１６を通過する時、ブレード２２０を拘束する要素がなく自由に回転することができるので、ブレード２２０が水の流れ方向に立てられる。
【００４７】
このように、本発明の第１実施例及び第２実施例による流水を利用した動力発生装置は、流速エネルギーを回転動力に変換する際に、既存の水車に存在する無用運動区間を最小化して、流速エネルギーを回転動力に変換する効率が非常に高いという長所がある。
【図１】
0005916863.tif 000002
【図２】
0005916863.tif 000003
【図３】
0005916863.tif 000004
【図４】
0005916863.tif 000005
【図５】
0005916863.tif 000006
【図６】
0005916863.tif 000007
【図７】
0005916863.tif 000008
【図８】
0005916863.tif 000009
【図９】
0005916863.tif 000010